(57)【特許請求の範囲】
【請求項１】
被洗浄車両を跨ぐ洗車機本体の上部に前記被洗浄車両の上面を洗浄するトップブラシを配した洗車機において、
前記トップブラシの軸方向の両端を吊り下げる２本のワイヤと、
前記トップブラシに対して一側方に配置されるとともに、各前記ワイヤが嵌合する一対の環状の溝部を周面に凹設して前記ワイヤを巻き取る巻取部と、
前記トップブラシの両端のそれぞれの上方に配される２つの滑車と、
前記巻取部を回転駆動して前記ワイヤの巻き取り及び繰り出しを行うことにより前記トップブラシを昇降させる昇降モータと、
を備え、
前記滑車及び前記巻取部の軸方向を前後方向に配置して前記トップブラシの両端から上方に延びる各前記ワイヤが前記滑車を介して前記巻取部により巻き取られるとともに、巻取部が軸方向に１本の前記ワイヤを前記溝部内に巻回した単層巻に構成されることを特徴とする洗車機。
【請求項２】
前記巻取部に近い側の前記滑車の下方に前記巻取部を配置するとともに、
一方の前記ワイヤが前記巻取部に近い側の前記滑車を介して前記巻取部に巻き取られ、
他方の前記ワイヤが前記巻取部に遠い側及び近い側の前記滑車を介して前記巻取部に巻き取られることを特徴とする請求項１に記載の洗車機。
【請求項３】
前記巻取部に近い側の前記滑車と前記巻取部との間で前記ワイヤの緩みを検出する検出部を設けたことを特徴とする請求項１又は２に記載の洗車機。
【請求項４】
前記溝部の外周端縁に面取りを施したことを特徴とする請求項１〜３のいずれかに記載の洗車機。
【請求項５】
前記ワイヤの巻き取り量を検知する巻取センサを備え、前記巻取センサ及び前記昇降モータは前記トップブラシに対して一方の側方に配されることを特徴とする請求項１〜４のいずれかに記載の洗車機。
【発明の詳細な説明】
【技術分野】
【０００１】
本発明は、給油所等に設置して被洗浄車両の洗車を行う洗車機に関する。
【背景技術】
【０００２】
給油所等に設置される従来の洗車機は特許文献１に開示される。この洗車機は被洗浄車両の前後に開口部が形成された門型の洗車機本体を備えている。洗車機本体が被洗浄車両を跨いで被洗浄車両に対して前後に相対移動する。
【０００３】
洗車機本体には被洗浄車両の上面を洗浄するトップブラシと、トップブラシの重量に対応するつり合いおもりと、がワイヤに接続される。トップブラシの左右両端は長さの違うワイヤを介して吊り下げられ、それぞれのワイヤは右側部に設けられたつり合いおもりに接続される。トップブラシはつり合いおもりの重量を利用して被洗浄車両の上面まで上昇させられ、被洗浄車両の上面と当接して洗浄する。さらにトップブラシの昇降速度を緩衝するためにシリンダが設けられる。
【先行技術文献】
【特許文献】
【０００４】
【特許文献１】特開昭５４−１１８６６３号公報
【発明の概要】
【発明が解決しようとする課題】
【０００５】
しかしながら、特許文献１に開示される洗車機はトップブラシに対してつり合いおもり、シリンダが夫々ワイヤに接続されており構造が複雑であるという問題がある。また、つり合いおもり、シリンダが昇降自在になるための空間がそれぞれ必要となるという問題がある。
【０００６】
本発明は、トップブラシの昇降の構造を簡略化して洗車機本体を小型化できる洗車機を提供することを目的とする。
【課題を解決するための手段】
【０００７】
上記目的を達成するために本発明は、被洗浄車両を跨ぐ洗車機本体の上部に前記被洗浄車両の上面を洗浄するトップブラシを配した洗車機において、前記トップブラシに接続して前記トップブラシを吊り下げるワイヤと、前記ワイヤが嵌合する環状の溝部を周面に凹設して前記ワイヤを巻き取る巻取部と、前記巻取部を回転駆動して前記ワイヤの巻き取り及び繰り出しを行うことにより前記トップブラシを昇降させる昇降モータと、を備え、前記巻取部が軸方向に１本の前記ワイヤを前記溝部内に巻回した単層巻に構成されることを特徴とする。
【０００８】
この構成によると、被洗浄車両を跨ぐ洗車機本体の上部に被洗浄車両の上面を洗浄するトップブラシが配される。洗車機本体が設定された洗車条件に基づいて、被洗浄車両に対して前後方向に相対移動しながらトップブラシを用いて洗浄を行う。トップブラシはワイヤにより吊り下げられ、昇降モータによりワイヤの巻き取り及び繰り出しを行ってトップブラシが昇降する。昇降モータに連結される巻取部は環状の溝部が設けられ、溝部内は1本のワイヤを巻回した単層巻に構成される。
【０００９】
また、本発明は上記構成の洗車機において、前記ワイヤを２本設けてそれぞれ前記トップブラシの軸方向の両端を吊り下げ、前記ワイヤにそれぞれ対応する一対の前記溝部を前記巻取部の軸方向に並設したことを特徴とする。
【００１０】
また、本発明は上記構成の洗車機において、前記巻取部の軸方向を前記洗車機本体の前後方向に配置したことを特徴とする。また、本発明は上記構成の洗車機において、前記溝部の外周端縁に面取りを施したことを特徴とする。
【００１１】
また、本発明は上記構成の洗車機において、前記ワイヤの巻き取り量を検知する巻取センサを備え、前記巻取センサ及び前記昇降モータは前記トップブラシに対して一方の側方に配されることを特徴とする。
【発明の効果】
【００１２】
本発明によると、トップブラシの昇降の構造を簡略化して洗車機本体を小型化できる洗車機を提供できる。
【図面の簡単な説明】
【００１３】
【図１】本発明の実施形態の洗車機の全体構成を示す側面図
【図２】本発明の実施形態の洗車機本体の構成を示す正面図
【図３】本発明の実施形態の洗車機本体の要部構成を示す正面図
【図４】本発明の実施形態の巻取部を示す正面図
【図５】本発明の実施形態の巻取部を示す側面図
【発明を実施するための形態】
【００１４】
本発明の第１実施形態を図面を参照して説明する。図１、図２は本実施形態の洗車機を示す側面図、正面図である。洗車機ＷＡは洗車機本体１を備え、洗車機本体１の進入経路上にはリモートパネル７Ａが配される。被洗浄車両ＣＡはリモートパネル７Ａの面前で停車し、リモートパネル７Ａの操作によって洗車の受け付け等を行う。
【００１５】
洗車機本体１は前後に開口し、被洗浄車両ＣＡを跨ぐ門型に形成される。洗車機本体１の底面には地面に設けられた左右一対のレール２上に配される車輪３が設けられる。これにより、洗車機本体１はレール２上を走行して被洗浄車両ＣＡに対して前後に相対移動する。
【００１６】
洗車機本体１には被洗浄車両ＣＡをブラッシングする複数の回転するブラシを設けている。ブラシはトップブラシ４、サイドブラシ５及びロッカーブラシ６から成っている。トップブラシ４は被洗浄車両ＣＡの上面を洗浄し、水平な回転軸（軸方向）４Ａ（図３参照）に布（織布、編布、不織布等）や樹脂繊維から成るブラシ毛を放射状に固着して形成される。
【００１７】
サイドブラシ５は左右一対設けられ、被洗浄車両ＣＡの両側面と前後面に摺動して被洗浄車両ＣＡを洗浄する。ロッカーブラシ６は左右一対設けられ、被洗浄車両ＣＡのタイヤを含む側面下部を洗浄する。サイドブラシ５及びロッカーブラシ６もトップブラシ４と同様の回転軸及びブラシ毛を有している。
【００１８】
洗車機本体１の一方の側方には洗剤やワックス等の各種液剤を貯液する複数の貯液タンク（不図示）を収納するタンク収納部５０が配される。タンク収納部５０の上方には市水及び各貯液タンクからの液剤を電磁弁等を介して分配する分配配管部５１が設けられる。分配配管部５１には第１、第２浄水ノズル１１、１３、第１、第２洗剤ノズル１２、１５、撥水コートノズル１４、ワックスノズル１６が導出される。
【００１９】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対して洗剤を噴射する。撥水コートノズル１４は洗車機本体１の奥側に配され、被洗浄車両ＣＡに対して撥水コート剤を噴射する。ワックスノズル１６は洗車機本体１の奥側に配され、被洗浄車両ＣＡに対してワックスを噴射する。
【００２０】
また、洗車機本体１には被洗浄車両ＣＡを乾燥させるトップ送風ノズル２１とサイド送風ノズル２２とを設けている。洗車機本体１の中央上部にはトップ送風ノズル２１が設けられ、両側方にはサイド送風ノズル２２が設けられる。トップ送風ノズル２１及びサイド送風ノズル２２はブロワ２０からの送風を被洗浄車両ＣＡに対して吹き付けて乾燥させる。
【００２１】
洗車機本体１の前面上部には車両センサ８が設けられている。車両センサ８は光電センサや超音波センサ等から成り、洗車機本体１に進入する被洗浄車両ＣＡの外面形状を検知する。
【００２２】
洗車機本体１の一方の側方の前面には操作パネル７が配される。操作パネル７はリモートパネル７Ａと同様の操作ボタンを備え、被洗浄車両ＣＡから降車したユーザ等の操作により洗車の受け付けや洗車条件の設定を行う。
【００２３】
洗車条件の設定としてはシャンプー、ワックス掛け、撥水コート等を水洗いに追加するボタンが操作パネル７及びリモートパネル７Ａに設けられる。また、高級なシャンプー、高級なワックス、高級な撥水コート、特殊なコート等を行うボタンも設けられている。さらに、フロントガード有り、フェンダーポール有り、ドアミラー有り、リヤワイパー有り、該当装備品無し等の装備品設定ボタンが設けられている。
【００２４】
図３は洗車機本体１のトップブラシ４の要部構成を示す正面図である。トップブラシ４の回転軸４Ａはトップブラシ４の中心から左右方向に伸び、左右に設けられたホルダ６１によって回転自在に支持される。トップブラシ４を回転させる回転モータ６０は右側方に配されて伝達機構５８を介してトップブラシ４の回転軸４Ａに連結される。これにより回転モータ６０はトップブラシ４を回転させる。
【００２５】
ホルダ６１はワイヤ６３Ａに接続される右側方のホルダ６１Ａとワイヤ６３Ｂに接続される左側方のホルダ６１Ｂとから構成される。ホルダ６１Ａ、Ｂにはそれぞれ上下に配される第１ガイドローラ６２Ａ及び第２ガイドローラ６２Ｂが軸支される。
【００２６】
洗車機本体１の両側部には上下方向に伸びる案内部５９が設けられる。案内部５９は水平断面図がコ字状に形成され、第１ガイドローラ６２Ａ及び第２ガイドローラ６２Ｂが当接して転動する。これによりホルダ６１Ａ、６１Ｂは案内部５９の案内によって上下に移動可能になっている。
【００２７】
右側方のホルダ６１Ａの上部はワイヤ６３Ａに接続され、上方に配される滑車６４Ａを介して巻取部８１へ接続される。ホルダ６１Ｂの上部はワイヤ６３Ｂに接続され、上方に配される滑車６４Ｂ及び滑車６４Ａを介して巻取部８１へ接続される（図４参照）。
【００２８】
滑車６４Ａと巻取部８１との間にはワイヤ６３Ａ、６３Ｂの緩みを検出する緩み検出部７５が配される。緩み検出部７５は引っ張りバネ７０Ａ、７０Ｂと、レバー７１Ａ、７１Ｂと、滑車６９Ａ、６９Ｂと、緩み検知センサ７４と、を有している。引っ張りバネ７０Ａ、７０Ｂは一端を洗車機本体１に接続され、他端をレバー７１Ａ、７１Ｂの上端に固定される。
【００２９】
レバー７１Ａ、７１Ｂは支点７３Ａ、７３Ｂを洗車機本体１に支持されて回動自在に配される。滑車６９Ａ、６９Ｂはレバー７１Ａ、７１Ｂの下端に回転自在に支持され、それぞれのワイヤ６３Ａ、６３Ｂに接して配される。緩み検知センサ７４はレバー７１Ａ、７１Ｂの移動を検出する。ワイヤ６３Ａ及びワイヤ６３Ｂの少なくとも一方が緩むと緩み検知センサ７４の検知によって緩み検出部７５は異常動作であると判定し、制御部（不図示）を介してトップブラシ４の回転を上昇させる。さらに異常動作を検知し続けると洗車機本体１の洗浄動作を全て停止する。
【００３０】
巻取部８１は昇降モータ６５のモータ軸と連結されており、昇降モータ６５の巻回によってホルダ６１Ａ及びホルダ６１Ｂは昇降する。これにより、トップブラシ４はワイヤ６３により吊り下げられて被洗浄車両ＣＡとの距離を一定に維持される。そして、昇降モータ６５の駆動によりワイヤ６３の巻き取り及び繰り出しを行うことにより昇降自在になっている。
【００３１】
また、ワイヤ６３の巻き取り量を検知する巻取センサ６７を備え、巻取センサ６７はトップブラシ４に対して昇降モータ６５と同じ右側方に配される。このためトップブラシ４の高さ位置を正確に把握するとともに、洗車機本体１を小型化することができる。
【００３２】
図４、図５は巻取部８１の正面図及び側面断面図を示している。ワイヤ６３Ａ、６３Ｂは巻取部８１に設けられた接続部７９にそれぞれの一端が接続される。巻取部８１は昇降モータ６５のモータ軸６５ａに固定され、ワイヤ６３が嵌合する環状の溝部８２が設けられる。
【００３３】
溝部８２は巻取部８１の周面に凹設して設けられる。また、溝部８２は一対の溝部８２Ａ、８２Ｂから構成され、溝部８２Ａ、８２Ｂはワイヤ６３Ａ、６３Ｂにそれぞれ対応して巻取部８１の軸方向Ｍに並設される。
【００３４】
巻取部８１は軸方向Ｍに１本のワイヤ６３を溝部８２内に巻回した単層巻に構成される。即ち、溝部８２はワイヤ６３を１本だけ嵌合して受け入れることができる幅Ｕを有する。このため、ワイヤ６３は軸方向Ｍに一定の巻回位置で径方向へ積み重なるように巻回される。
【００３５】
軸方向Ｍは洗車機本体１の前後方向に設けられる。この時、溝部８２Ａ、８２Ｂは軸方向Ｍに並設されるために洗車機本体１の横幅を小さくして小型化することができる。
【００３６】
溝部８２の外周端縁には面取り８３が施される。これにより、ワイヤ６３が溝部８２に容易に進入し、ワイヤ６３の脱落を防止することができる。尚、溝部８２の表面を樹脂コーティングしてもよい。これにより、ワイヤ６３の破損を防止することができる。
【００３７】
上記構成により、洗車機本体１が設定された洗車条件に基づいて被洗浄車両ＣＡに対して前後方向に相対移動する。そして被洗浄車両ＣＡには貯液タンク５０から液剤が供給され、洗車機本体１に設けた回転ブラシが被洗浄車両ＣＡに摺動して被洗浄車両ＣＡが洗車される。この時、車両センサ８の検知によってトップブラシ４は昇降モータ６５の駆動により被洗浄車両ＣＡの上面に沿って一定の距離を維持して昇降し、被洗浄車両ＣＡの上面を傷つけずに洗浄することができる。
【００３８】
本実施形態によると、トップブラシ４を昇降させる昇降モータ６５と、ワイヤ６３が嵌合する環状の溝部８２を設けてワイヤ６３を巻き取る巻取部８１と、を備え、巻取部８１が軸方向Ｍに１本のワイヤ６３を溝部８２内に巻回した単層巻に構成される。トップブラシ４の昇降の構造を簡略化できる。また、ワイヤ６３は巻取部８１の径方向に１本ずつ積み重なるように巻回される。これにより、巻取部８１の軸方向Ｍを小さくして洗車機本体１を小型にすることができる。
【００３９】
また、ワイヤ６３Ａ、６３Ｂを設けてそれぞれトップブラシ４の両端の軸方向４Ａを吊り下げ、前記ワイヤ６３Ａ、６３Ｂにそれぞれ対応する一対の溝部８２Ａ、８２Ｂを巻取部８１の軸方向Ｍに並設した。これにより、一つの巻取部８１で２本のワイヤ６３を巻回でき、洗車機本体１の小型化をより図ることができる。
【００４０】
また、軸方向Ｍを洗車機本体１の前後方向に配置したため、洗車機本体１の小型化をさらに容易に図ることができる。
【００４１】
また、溝部８２の外周端縁８３に面取りを施したため、ワイヤ６３が溝部８２に容易に進入し、ワイヤ６３の脱落を防止することができる。
【００４２】
また、ワイヤ６３の巻き取り量を検知する巻取センサ６７を備え、巻取センサ６７及び昇降モータ６５はトップブラシ４に対して側方に配される。このため、トップブラシ４の高さ位置を正確に把握するとともに、洗車機本体１を小型化することができる。
【００４３】
本実施形態において、巻取センサ６７及び昇降モータ６５はトップブラシ４に対して左側方に配されてもよい。
【産業上の利用可能性】
【００４４】
本発明によると、給油所等に設置して被洗浄車両の洗車を行う洗車機に利用することができる。
【符号の説明】
【００４５】
１      洗車機本体
４      トップブラシ
４Ａ    回転軸
５      サイドブラシ
６      ロッカーブラシ
７      操作パネル
７Ａ    リモートパネル
６０    回転モータ
６３    ワイヤ
６５    昇降モータ
６７    巻取センサ
８１    巻取部
８２    溝部
８３    面取り
ＣＡ    被洗浄車両
Ｍ      軸方向
Ｕ      幅
ＷＡ    洗車機
【図１】
0005673407.tif 000002
【図２】
0005673407.tif 000003
【図３】
0005673407.tif 000004
【図４】
0005673407.tif 000005
【図５】
0005673407.tif 000006